(57)【要約】【課題】  残留ガス抜き用の特殊な押しボタンやこれと係合するカバー体を使うことなく、簡単に残留ガス放出機構を備えたエアゾール製品にできるとともに、ガス抜き作業の中途でも、速やかにガス抜き作業が中止できる残留ガス抜き機構にする。【解決手段】  エアゾール缶２の上端開口を押しボタン５を装着したエアゾールバルブ３で密閉してなるエアゾール容器１において、前記エアゾール容器１に剥離可能して再貼着可能なフィルムテープ１０を仮接着しておき、使用済みエアゾール容器の廃棄に際して、前記フィルムテープ１０を引き剥がし、前記押しボタン５を押し下げた位置において前記押しボタン５と前記エアゾール缶２に渡って前記フィルムテープ１０を貼着して前記押しボタン５を押圧状態に維持することで残留ガスを継続放出し、フィルムテープ１０の一端を引き剥がすことによりガス抜き作業が中止できるようにした。【選択図】      図２
0003125688.tif 000002
【実用新案登録請求の範囲】
【請求項１】
エアゾール缶の上端開口を押しボタンを装着したエアゾールバルブで密閉してなるエアゾール容器において、前記エアゾール容器に剥離可能して再貼着可能なフィルムテープを仮接着しておき、使用済みエアゾール容器の廃棄に際して、前記フィルムテープを引き剥がし、前記押しボタンを押し下げた位置において前記押しボタンと前記エアゾール缶に渡って前記フィルムテープを貼着して前記押しボタンを押圧状態に維持するようにしたことを特徴とするエアゾール容器の残留ガス放出機構。
【請求項２】
フィルムテープがエアゾール缶の表面に接着する剥離紙を介してエアゾール容器に仮接着されていることを特徴とする請求項１記載のエアゾール容器の残留ガス放出機構。
【請求項３】
フィルムテープに非接着タブを設けたことを特徴とする請求項１又は請求項２記載のエアゾール容器の残留ガス放出機構。
【請求項４】
フィルムテープに穴部を設け、前記穴部にメッシュ状の不織布を貼り付けて成ることを特徴とする請求項１、２、又は３記載のエアゾール容器の残留ガス放出機構。
【請求項５】
フィルムテープに押しボタンの直立ノズルが挿通可能な穴を設けたことを特徴とする請求項１、２、又は３記載のエアゾール容器の残留ガス放出機構。
【考案の詳細な説明】
【技術分野】
【０００１】
本考案は、内容物を液化ガスで噴出させるエアゾール容器に関し、詳しくは、使用済みのエアゾール容器に残留するガスを容易に放出することのできるエアゾール容器の残留ガス放出機構に関する。
【背景技術】
【０００２】
使用済みエアゾール容器には、使用によって放出しきれなかった液化ガスが残留しており、使用済みエアゾール容器がそのまま廃棄されると、廃棄された環境よっては破裂したり、火中に投じられると爆発するおそれがあった。従って、消費者が廃棄する際に残留ガスを完全に放出しておくことが望まれている。
【０００３】
消費者が押しボタンを押し続けて残留ガスを完全に放出する手段は、作業時間と労力がかかり過ぎるうえに、ガス抜きが不完全に終わり易いことから、消費者が確実にガス抜きをするには、金槌やポンチ等の器具を使って使用済みエアゾール容器に孔を開ける必要がある。
【０００４】
しかしながら、この残留ガス抜き手段は、作業性が悪いうえに、放出ガスとともに容器内に付着している残留内容物の噴出により、周辺や衣服を汚染してしまう虞があり、作業が面倒であるのでガス抜きを行わないで廃棄されてしまうことが多い。
【０００５】
このような問題に対応して、消費者が使用済みエアゾール容器の押しボタンを簡単に継続噴射状態にできれば、消費者の手で確実に残留ガスを抜くことができるので、使用済みエアゾール容器を廃棄する際に、消費者が簡単に継続噴射状態に操作できる残留ガス抜き機構を備えたものが多数提案されている。
【０００６】
例えば、特開２００２−６８３３９号公報や、特開２００２−２５５２６６号公報には、押しボタンとカバー体の部分に相互に係合する係合手段を形設し、押しボタンの押し下げ時に、押しボタンとカバー体をそれぞれの係合手段によって係合させることにより継続噴射を可能とした残留ガス抜き機構を備えたエアゾール容器が開示されている。
【０００７】
これらの物は、消費者が、廃棄する前に押しボタンを押し下げて、押しボタンとカバー体を係合しておけば、押しボタンを押し続けなくても残留ガスが放出されるので、煩わしいガス抜き作業をすることなく使用済みエアゾール容器のガスを完全に抜き去ることが出来るものである。
【特許文献１】特開２００２−６８３３９号公報
【特許文献２】特開２００２−２５５２６６号公報
【考案の開示】
【考案が解決しようとする課題】
【０００８】
しかしながら、押しボタンをカバー体に係合させて残留ガスを放出させる従来公知のガス抜き機構は、新たに商品企画されるエアゾール製品には好適に利用してガス抜き機構を備えた製品とすることができるが、ガス抜き機構を備えていない従来から販売されている製品や輸入製品に適用するには、押しボタンを変えたりカバー体を取り付けたり、製品仕様を全面的に変えねばならず、既製品にこの従来のガス抜き機構を適用するには制約が多く、実施が困難である。
【０００９】
また、従来公知のガス抜き機構によって残留ガスを完全に排出するには、それなりの放出時間を要するので、消費者がガス抜き作業中に用事が発生してガス抜き作業を中断しなければならない事態も想定されるが、従来公知の残留ガス抜き機構は、この点についての配慮が全くなされておらず、作業者は排出が終了する迄見守るか、継続噴射中のものを完了を待たずして廃棄しなければならなかった。
【００１０】
本考案は、上記の問題に鑑みてなされたもので、残留ガス抜き用の特殊な押しボタンやこれと係合するカバー体を使うことなく、簡単に残留ガス放出機構を備えたエアゾール製品にできるとともに、ガス抜き作業の中途でも、速やかにガス抜き作動を解除できる機能を有するエアゾール容器の残留ガス抜き機構にすることを課題にしている。
【課題を解決するための手段】
【００１１】
本考案は、上記の問題を解決する為に、エアゾール缶の上端開口を押しボタンを装着したエアゾールバルブで密閉してなるエアゾール容器において、前記エアゾール容器に剥離可能して再貼着可能なフィルムテープを仮接着しておき、使用済みエアゾール容器の廃棄に際して、前記フィルムテープを引き剥がし、前記押しボタンを押し下げた位置において前記押しボタンと前記エアゾール缶に渡って前記フィルムテープを貼着して前記押しボタンを押圧状態に維持するようにした。
【００１２】
フィルムテープがエアゾール缶の表面に接着する剥離紙を介してエアゾール容器に仮接着されている構成とすることが好ましい。
【００１３】
フィルムテープに非接着タブを設けると使いよい。
【００１４】
また、フィルムテープに穴部を設け、前記穴部にメッシュ状の不織布を貼り付けて成し、残留ガスと共に噴口から放出される内容物の飛散を前記不織布で抑えるようにするとよい。
【００１５】
また、フィルムテープに押しボタンの直立ノズルが挿通可能な穴を設け、直立ノズルを有する押しボタンには、前記穴に直立ノズルを挿通して押しボタンを押さえ込み易くするとよい。
【考案の効果】
【００１６】
本考案のエアゾール容器の残留ガス放出機構によれば、使用済みエアゾール容器の廃棄に際して、押しボタンとエアゾール缶に渡って、所定のフィルムテープを貼着することにより押しボタンを押圧状態に維持するようにしたので、残留ガス連続放出の為の特殊な押しボタンやカバー体を必要とせず、所定の寸法の剥離可能にして再貼着可能なフィルムテープをエアゾール製品に仮接着するだけで残留ガス放出機構を備えることが可能となり、ガス抜き機構を備えていない従来から販売されている製品や輸入製品でも、これを適用して容易に且つ安価に残留ガス放出機構付き製品にすることができる。
【００１７】
また、残留ガス連続放出中に、貼着されたフィルムテープの一端を引き剥がせば、押しボタンの押圧が解除されて、残ガス処理の継続噴射を速やかに中止できるので、作業者がガス抜き作業中に用事が発生してガス抜き作業を中断しなければならない場合でも、ガス抜き作業を速やかに安全に中断して対処することができる。
【考案を実施するための最良の形態】
【００１８】
以下、本考案のエアゾール容器の残留ガス排出機構の好適な実施の形態を、図面を参照しながら詳細に説明する。
【００１９】
図１乃至図２は、本考案のエアゾール容器の残留ガス排出機の第一の実施の形態を示しており、この実施の形態の残留ガス排出機構は、エアゾール缶２の上端開口を、押しボタン５が嵌装されたステム４を起立するエアゾールバルブ３で密閉してなるエアゾール容器１に、剥離可能して再貼着可能なフィルムテープ１０を仮接着して構成されている。符号２０は、エアゾール容器１のキャップである。
【００２０】
フィルムテープ１０は、押しボタン５の頂壁６をほぼ覆う幅寸法を有する帯部１０ａと、帯部１０ａよりも幅広な拡張部１０ｂを有し、帯部１０ａの先端には非接着タブ１１が形成されている。また、フィルムテープ１０の上面には、フィルムテープ１０を残留ガス排出機構として使用する際の使用方法や注意書き等が印刷されており、その裏面には、エアゾール缶２の表面に剥離可能して再貼着可能な接着剤が塗布されている。
【００２１】
また、フィルムテープ１０は、押しボタン５の頂壁６からエアゾール缶２の胴部２ａに渡って架け渡せる十分な長さ寸法を有しており、使用済みエアゾール製品を廃棄する際には、非接着タブ１１を摘んでフィルムテープ１０をエアソール容器１から引き剥がし、図２に示すように、フィルムテープ１０の帯部１０ａの先端部を押しボタン５の頂壁６に貼着するとともに、押しボタン５を押圧した状態のまま、フィルムテープ１０の拡張部１０ｂをエアゾール缶の胴部２ａに貼り付け、押しボタン５の押圧状態を維持することで残留ガスを連続放出する。
【００２２】
また、残留ガス処理作業を一時中断するには、フィルムテープ１０の何れか一端部を剥離させればよく、処理作業を再開するには、押しボタン５を押圧した状態にしてフィルムテープ１０を再接着すればよい。
【００２３】
以上のように、剥離可能して再貼着可能なフィルムテープ１０をエアゾール容器１に仮接着するだけで残留ガス放出機構が装備されるので、既成製品や輸入製品にこれを適用して、容易に且つ安価に残留ガス放出機構付き製品にすることができる。
【００２４】
また、既成製品や輸入製品が、図３に示すように、シュリンクフィルム２１で包装されている場合は、シュリンクフィルム２１にもエアゾール缶２にも剥離可能して再貼着可能なフィルムテープ１０を選択し、これをシュリンクフィルム２１に貼り付けておけばよい。
【００２５】
製品を使用する場合には、除去するシュリンクフィルム２１からフィルムテープ１０を引き剥がし、これをエアゾール缶２に貼着して保持し、使用済みエアゾール製品を廃棄する際に、既述した例と同様に使用すればよい。
【００２６】
また、図４の円内にその断面Ａ−Ａを模式的に示すように、フィルムテープ１０を剥離紙１２を介してエアゾール容器１に仮接着させた構成としてもよい。このフィルムテープ１０は、その接着剤層１０ｃを介して剥離紙１２に剥離可能に接着され、剥離紙１２は、その裏面の接着剤層１２ａによりエアゾール缶２に強固に接着されている。このフイルムテープ１０は、使用する際に、エアゾール容器１から引き剥がし易い。
【００２７】
また、エアゾール容器１が化粧箱に入れられて販売されているような場合には、上記剥離紙１２の接着剤層１２ａに更に剥離可能な剥離紙層を設けたフィルムテープ（図指省略）を化粧箱内に同封し、これを購入した消費者が剥離紙層を剥離してエアゾール容器１に接着するようにしてもよい。
【００２８】
図５、図６は、別の実施の形態を示しており、この残留ガス放出用のフィルムテープ１０は、フィルムテープ１０の所定位置に押しボタン５の噴口７よりも大きな穴部１０ｄが設けられ、穴部１０ｄの接着剤層１０ｃ面にメッシュ状の不織布１３が貼り付けられて構成されている。
【００２９】
このフイルムテープ１０は、残留ガスと共にノズルから放出される僅かな内容物が汚染性の物質の場合に適用されるものであり、図６に示すように、メッシュ状の不織布１３の貼られている穴部１０ｄを押しボタン５の噴口７に位置させてフィルムテープ１０を用いることにより、内容物の飛散を不織布１３で抑えることができる。尚、符号１３ａは、不織布１３による非接着タブであり、フイルムテープ１０の引き剥がしに用いる。
【００３０】
図７、図８は、更に別の実施の形態を示しており、この残留ガス放出用のフィルムテープ１０は、図８に示すように、エアゾール製品の内容物を泡状やクリーム状に吐出する為に、直立ノズル８と指を掛ける押圧台９を有する押しボタン５を備えたエアゾール容器１に適用するものである。
【００３１】
この残留ガス放出用のフィルムテープ１０には、その所定位置に押しボタン５の直立ノズル８が挿通可能な寸法の穴１４が設けられており、これを使用するときは、穴１４に直立ノズル８を挿通し、押圧台９の上面に接着剤層１０ｃの面を接着し、押しボタン５を押さえ込んで他端部をエアゾール缶２に接着する。
【００３２】
尚、フィルムテープ１０にポンチで穴１４を設ける際に、フィルムテープ１０の穴１４を設ける位置を非接着層としておき、連結部１５を介して非接着タブ１６を一体に設け、フィルムテープ１０の引き剥がしに使用するとよい。
【００３３】
また、残留ガス放出機構に用いるフィルムテープ１０の寸法や形状や貼着方法は、既述したものに限定されるものではなく、例えば、図９に示すように、長寸帯状のフィルムテープ１０を用いて、その中央部を押しボタン５の頂壁に貼着し、その両端部１０ｅ、１０ｅをエアゾール缶２の胴部２ａに貼り付けるようにしてもよい。
【図面の簡単な説明】
【００３４】
【図１】本考案のエアゾール容器の残留ガス放出機構の実施の形態を示す正面図。
【図２】図１の残留ガス放出機構の作動状態を示す説明図。
【図３】図１に示すエアゾール容器がシュリンク包装されている場合の説明図。
【図４】図１の残留ガス放出機構におけるフィルムテープを異なる仮接着態様にした説明図であり、円内はＡ−Ａ断面図。
【図５】残留ガス放出機構として使用するフィルムテープの別の態様を示す斜視図。
【図６】図５に示すフィルムテープによる残留ガス放出機構の作動状態を示す説明図。
【図７】残留ガス放出機構として使用するフィルムテープの別の態様を示す平面図。
【図８】図７に示すフィルムテープによる残留ガス放出機構の作動状態を示す説明図。
【図９】残留ガス放出機構として使用するフィルムテープの貼り方のバリエーションを示す説明図。
【符号の説明】
【００３５】
１  エアゾール容器，２  エアゾール缶，３  エアゾールバルブ，５    押しボタン，８  直立ノズル，１０  フィルムテープ，、１０ａ  穴部，１１、１３ａ、１６  非接着タブ，１２  不織布，１４  穴，
【図１】
0003125688.tif 000003
【図２】
0003125688.tif 000004
【図３】
0003125688.tif 000005
【図４】
0003125688.tif 000006
【図５】
0003125688.tif 000007
【図６】
0003125688.tif 000008
【図７】
0003125688.tif 000009
【図８】
0003125688.tif 000010
【図９】
0003125688.tif 000011